(57)【要約】【課題】平面視矩形状の収納室の周囲に無駄なスペースを設けることなく、該収納室に四方向から物を出し入れできる収納構造を提供する。【解決手段】建物の平面視略中央部に、平面視矩形状の収納室９が配置され、収納室９の周囲に、この収納室９を取り囲むようにして部屋１０、廊下５，１７、ホール３が配置され、収納室９を形成する４つの壁２０ａ，２０ａ，２０ｂ，２０ｂにそれぞれ開口部２１ａ，２１ａ，２１ｂ，２１ｂが形成されているので、収納室９を形成する各壁に面する部屋１０、廊下５，１７、ホール３等から物を出し入れできる。したがって、平面視矩形状の収納室９の周囲に無駄なスペースを設けることなく、該収納室９に四方向から物を出し入れできる。【選択図】図４
2010189945.tif 000002
【特許請求の範囲】
【請求項１】
建物の平面視略中央部に、平面視矩形状の収納室が配置されており、
前記収納室の周囲に、この収納室を取り囲むようにして部屋、廊下、ホールのうちの少なくとも一つが配置されており、
前記収納室を形成する四つの壁にそれぞれ開口部が形成されていることを特徴とする収納構造。
【請求項２】
請求項１に記載の収納構造において、
前記収納室に、平面形状が等しい複数の平面矩形状の収納ケースが、平面視において前記収納室の長辺方向および短辺方向に移動可能に設けられており、
前記収納室に、前記収納ケースと平面形状が等しい平面矩形状の配置スペースが前記長辺方向および短辺方向に隙間無く複数配置されており、
前記複数の配置スペースのうち、少なくとも一つの配置スペースは前記収納ケースが配置されていない空の配置スペースとなっており、残りの配置スペースにそれぞれ前記収納ケースが配置されていることを特徴とする収納構造。
【請求項３】
請求項１に記載の収納構造において、
前記収納室に、平面形状が等しい複数の平面矩形状の収納ケースが、平面視においてその長辺方向を前記収納室の長辺方向に向けて、該長辺方向に移動可能に設けられており、
前記収納室に、前記収納ケースと平面形状が等しい平面矩形状の配置スペースが前記長辺方向に三つ隙間無く、短辺方向に四つ隙間無く配置されており、
前記収納室の長辺方向に沿う二つの壁に沿ってそれぞれ配置された三つの前記配置スペースのうち一つの前記配置スペースが前記収納ケースが配置されていない空の配置スペースとなっており、残り全ての配置スペースにそれぞれ前記収納ケースが配置されており、
前記収納室の長辺方向に沿う壁に、この壁に沿って配置された三つの前記配置スペースのうち中央の配置スペースに面して前記開口部が形成されており、
前記収納室の短辺方向に沿う壁に、この壁に沿って配置された四つの前記配置スペースのうちの中央の二つの配置スペースに面して前記開口部が形成されていることを特徴とする収納構造。
【請求項４】
請求項３に記載の収納構造において、
前記収納室の長辺方向に沿う壁に形成された開口部を開閉する開閉戸が設けられており、
この開閉戸の裏面に、この開閉戸によって前記開口部が閉じられた際に、この開口部に面する空の配置スペースに納まる収納ポケットが設けられていることを特徴とする収納構造。
【請求項５】
請求項１〜４のいずれか一項に記載の収納構造において、
前記収納室を形成する四つの壁は、構造壁で構成されていることを特徴とする収納構造。
【発明の詳細な説明】
【技術分野】
【０００１】
本発明は、建物内に平面視矩形状の収納室が配置された収納構造に関する。
【背景技術】
【０００２】
建物内に平面視矩形状に収納室が配置された収納構造の一例として特許文献１に記載のものが知られている。この収納構造では、二つの部屋の間に、両部屋から使用可能な収納室が設けられており、この収納室を画成する壁に、前記二つの部屋の外側にある廊下またはホールから出入り可能な出入口が形成されており、また、前記二つの部屋と収納室とは連続した一つの空間となっており、両部屋と収納室との境界部に、床から天井までの高さを有する引違い式の戸が設けられている。
このような従来の収納構造によれば、前記出入口から物を容易に出し入れできるので、二つの部屋の間にある収納室への物の出し入れが便利となる。また、引違い式の戸を開けることによって、収納室に物を容易に出し入れできる。
【先行技術文献】
【特許文献】
【０００３】
【特許文献１】特開２００８−２０２２２５号公報
【発明の概要】
【発明が解決しようとする課題】
【０００４】
ところで、前記従来の収納構造では、二つの部屋の間に収納室が設けられており、この収納室を形成する壁の一つが建物の外壁となっているので、収納室には外壁側以外の三方向からしか物を出し入れできない。
そこで、収納室を外壁から離して配置すれば、外壁と収納室との間に通路状の隙間を形成でき、この隙間からも収納室に物を出し入れすることはできる。しかし、収納室は二つの部屋の間に設けられたものであり、収納室には二つの部屋から直接物を出し入れできるので、前記隙間から物を出し入れする必要性は殆どなく、結局のところ前記隙間が無駄なスペースとなってしまうという問題がある。
【０００５】
本発明は上記事情に鑑みてなされたもので、平面視矩形状の収納室の周囲に無駄なスペースを設けることなく、該収納室に四方向から物を出し入れできる収納構造を提供することを課題としている。
【課題を解決するための手段】
【０００６】
上記課題を解決するために、請求項１に記載の発明は、例えば図１〜図４に示すように、建物の平面視略中央部に、平面視矩形状の収納室９が配置されており、
前記収納室９の周囲に、この収納室９を取り囲むようにして部屋１０、廊下５，１７、ホール３のうちの少なくとも一つが配置されており、
前記収納室９を形成する４つの壁２０ａ，２０ａ，２０ｂ，２０ｂにそれぞれ開口部２１ａ，２１ａ，２１ｂ，２１ｂが形成されていることを特徴とする。
【０００７】
請求項１に記載の発明によれば、建物の平面視略中央部に配置された平面視矩形状の収納室９の周囲に、この収納室９を取り囲むようにして部屋１０、廊下５，１７、ホール３のうちの少なくとも一つが配置されており、収納室９を形成する四つの壁２０ａ，２０ａ，２０ｂ，２０ｂにそれぞれ開口部２１ａ，２１ａ，２１ｂ，２１ｂが形成されているので、収納室９を形成する各壁に面する部屋１０、廊下５，１７、ホール３等から物を出し入れできる。
したがって、平面視矩形状の収納室９の周囲に無駄なスペースを設けることなく、該収納室９に四方向から物を出し入れできる。
【０００８】
請求項２に記載の発明は、例えば図７に示すように、請求項１に記載の収納構造において、
前記収納室９に、平面形状が等しい複数の平面矩形状の収納ケース２５が、平面視において前記収納室９の長辺方向および短辺方向に移動可能に設けられており、
前記収納室９に、前記収納ケース２５と平面形状が等しい平面矩形状の配置スペース２６が前記長辺方向および短辺方向に隙間無く複数配置されており、
前記複数の配置スペース２６のうち、少なくとも一つの配置スペース２６は前記収納ケース２５が配置されていない空の配置スペース２６となっており、残りの配置スペース２６にそれぞれ前記収納ケース２５が配置されていることを特徴とする。
【０００９】
請求項２に記載の発明によれば、前記収納室９に、前記収納ケース２５と平面形状が等しい配置スペース２６が前記長辺方向および短辺方向に隙間無く複数配置されており、前記複数の配置スペース２６・・・のうち、少なくとも一つの配置スペース２６は前記収納ケース２５が配置されていない空の配置スペース２６となっているので、この空の配置スペース２６に収納ケース２５を移動して、空の配置スペース２６を新たに生じさせ、さらにこの空の配置スペースに他の収納ケース２５を移動することを適宜繰り返して行くことによって、全ての収納ケース２５を四つの開口部２１ａ，２１ａ，２１ｂ，２１ｂに面して配置して、この収納ケース２５に物を出し入れでき、さらに、開口部２１ａ，２１ａ，２１ｂ，２１ｂから収納ケース２５をその少なくとも一部が外に出るように移動させることによって、該収納ケース２５に収納室９の外側で物を出し入れできる。したがって、収納室９に物を整理して効率よく収納できる。
【００１０】
請求項３に記載の発明は、請求項１に記載の収納構造において、
前記収納室９に、平面形状が等しい複数の平面矩形状の収納ケース２５が、平面視においてその長辺方向を前記収納室９の長辺方向に向けて、該長辺方向に移動可能に設けられており、
前記収納室９に、前記収納ケース２５と平面形状が等しい平面矩形状の配置スペース２６が前記長辺方向に三つ隙間無く、短辺方向に四つ隙間無く配置されており、
前記収納室９の長辺方向に沿う二つの壁２０ａ，２０ａに沿ってそれぞれ配置された三つの前記配置スペース２６のうち一つの前記配置スペース２６が前記収納ケースが配置されていない空の配置スペース２６となっており、残り全ての配置スペース２６にそれぞれ前記収納ケース２５が配置されており、
前記収納室９の長辺方向に沿う壁２０ａに、この壁２０ａに沿って配置された三つの前記配置スペース２６のうち中央の配置スペース２６に面して前記開口部２１ａが形成されており、
前記収納室９の短辺方向に沿う壁２０ｂに、この壁２０ｂに沿って配置された四つの前記配置スペース２６のうちの中央の二つの配置スペース２６，２６に面して前記開口部２１ｂが形成されていることを特徴とする。
【００１１】
請求項３に記載の発明によれば、平面視において、収納室９の長辺方向に沿う壁２０ａに沿って配置された収納ケース２５を開口部２１ａに面する配置スペース２６に移動することによって、前記収納ケース２５に、前記開口部２１ａから物を出し入れできる。
また、平面視において、短辺方向中央二列の中央の配置ペース２６，２６に配置されている収納ケース２５，２５には、前記開口部２１ａ，２１ａに面する配置スペース２６，２６を空の配置スペース２６とすることによって、この空の配置スペース２６，２６から物を出し入れできる。
さらに、短辺方向中央二列の配置スペースのうちの外側に位置する配置スペースに配置された収納ケース２５は、収納室９の短辺方向に沿う壁２０ｂに形成された開口部２１ｂから少なくとも一部が外に出るように移動させることによって、該収納ケース２５に収納室９の外側で物を出し入れし、その後、収納室９内に戻すことができる。
したがって、収納室９に物を整理して効率よく収納できる。
【００１２】
請求項４に記載の発明は、請求項３に記載の収納構造において、
前記収納室９の長辺方向に沿う壁２０ａに形成された開口部２１ａを開閉する開閉戸２７が設けられており、
この開閉戸２７の裏面に、この開閉戸２７によって前記開口部２１ａが閉じられた際に、この開口部２１ａに面する空の配置スペース２６に納まる収納ポケット３０が設けられていることを特徴とする
【００１３】
請求項４に記載の発明によれば、開閉戸２７の裏面に設けられた収納ポケット３０に物を収納することによって、収納室９の空の配置スペース２６を収納スペースとして有効利用できる。
【００１４】
請求項５に記載の発明は、請求項１〜４のいずれか一項に記載の収納構造において、
前記収納室９を形成する四つの壁２０ａ，２０ａ，２０ｂ，２１ｂは、構造壁で構成されていることを特徴とする。
【００１５】
請求項５に記載の発明によれば、建物の平面視略中央部に、平面視矩形状の収納室９が配置されており、この収納室９を形成する四つの壁２０ａ，２０ａ，２０ｂ，２１ｂが構造壁で構成されているので、建物自体をバランスよく支えることができる。
【発明の効果】
【００１６】
本発明によれば、建物の平面視略中央部に配置された平面視矩形状の収納室の周囲に、この収納室を取り囲むようにして部屋、廊下、ホールのうちの少なくとも一つが配置され、前記収納室を形成する４つの壁にそれぞれ開口部が形成されているので、収納室を形成する各壁に面する部屋、廊下、ホール等から物を出し入れできる。
したがって、平面視矩形状の収納室の周囲に無駄なスペースを設けることなく、該収納室に四方向から物を出し入れできる。
【図面の簡単な説明】
【００１７】
【図１】本発明に係る収納構造を備えた建物の平面図である。
【図２】図１におけるＡ−Ａ線矢視図である。
【図３】図１におけるＢ−Ｂ線矢視図である。
【図４】本発明に係る収納構造の一例を示すもので、収納室の平面図である。
【図５】同、収納ケースの側面図である。
【図６】同、開閉戸の斜視図である。
【図７】本発明に係る収納構造の他の例を示すもので、収納室の平面図である。
【発明を実施するための形態】
【００１８】
以下図面を参照して本発明の実施の形態について説明する。
図１は本発明に係る収納構造を備えた建物の平面図、図２は図１におけるＡ−Ａ線矢視図、図３は図１におけるＢ−Ｂ線矢視図である。
まず、本発明に係る収納構造を説明する前に、本収納構造を備えた建物について説明する。
図１において符号１は、玄関を示す。この玄関１は建物の西側に設けられており、玄関土間２、玄関ホール３、玄関ポーチ４等から構成されている。
玄関ホール３の北側に廊下５を挟んで洗面室６が設けられており、この洗面室６の西側に浴室７が設けられている。浴室７と玄関土間２との間にはトイレ８が設けられている。
また、玄関ホール３の東側に収納室９が設けられており、この収納室９の東側にダイニングキッチン１０が設けられている。このダイニングキッチン１０の南側に居間１１が設けられている。なお、玄関ホール３、廊下５、収納室９、ダイニングキッチン１０、居間１１等の床レベルは等しくなっている。
【００１９】
前記玄関土間２の南側に隣接して土間１２が設けられている。この土間１２の床レベルは玄関土間２の床レベルと等しくなっている。
玄関土間２は、玄関ホール３に面して設けられた玄関ホール前土間２ａと、この玄関ホール前土間２ａと前記土間１２とを繋ぐ土間通路２ｂとを備えている。土間通路２ｂは車椅子が通れる程度の幅を有しており、この土間通路２ｂの側方には、物入れ１３，１３が土間通路２ｂを挟んで対向配置されている。この物入れ１３，１３は折り戸によって開閉されるようになっている。また、土間通路２ｂと土間１２とを仕切る壁に形成された開口部は、戸によって開閉されるようになっている。
【００２０】
前記土間１２の東側に隣接して部屋１６が土間１２と壁によって仕切られないようにして設けられている。つまり、土間１２と部屋１６との境界部には、引違い式の引戸が設けられ、この引戸を閉めることによって、土間１２と部屋１６とは仕切ることができるが、引戸を開けるか、または外すことによって、土間１２と部屋１６とは仕切られていない状態となる。
また、玄関ホール３と部屋１６との間には廊下１７が設けられており、この廊下１７の端部の側方が土間１２に面している。この面している部分１７ａを通して、土間１２と廊下１７の行き来ができるようになっている。
【００２１】
次に、本発明に係る収納構造について説明する。
図１に示すように、建物の平面視略中央部に、平面視矩形状の前記収納室９が配置されている。この収納室９の周囲には、この収納室９を取り囲むようにして玄関ホール３、廊下５、部屋（ダイニングキッチン）１０、廊下１７が配置されている。
収納室９を形成する４つの壁２０ａ，２０ａ，２０ｂ，２０ｂはそれぞれ構造壁によって構成されている。例えば、壁２０ａ，２０ｂはそれぞれ建築用の構造用壁パネルによって形成されている。なお、構造用壁パネルは、框材を矩形枠状に組み立てるとともにその矩形枠に縦横に補強桟材を組み付け、さらに、矩形枠の表裏両面に合板等からなる面材を取り付けたものである。
また、壁２０ａ，２０ａが平行離間して配置され、壁２０ｂ，２０ｂが平行離間して配置されるとともに、壁２０ａ，２０ａに直角に接合されている。
【００２２】
図４に示すように、前記壁２０ａ，２０ａの幅方向中央部には開口部２１ａ，２１ａが形成されており、壁２０ｂ，２０ｂの幅方向中央部には開口部２１ｂ，２１ｂが形成されている。開口部２１ａ，２１ａは開口幅が等しく、平面視において収納室９の短辺方向に対向して設けられている。開口部２１ｂ，２１ｂは開口幅が等しく、平面視において収納室９の長辺方向に対向して設けられている。また、開口部２１ａ，２１ｂは開口幅が等しくなっており、壁２０ａの幅の１／３程度、壁２０ｂの幅の１／２程度となっている。
さらに、図２および図３に示すように、開口部２１ａ，２１ｂの下端は床面と等しくなっており、上端は天井より若干下方に位置している。
【００２３】
図１および図４に示すように、前記収納室９に、複数（１０個）の収納ケース２５が平面視において収納室９の長辺方向（図１および図４において左右方向）に移動可能に設けられている。収納ケース２５・・・は全て平面形状が等しい平面視矩形状に形成されたもので、それらの長辺方向を収納室９の長辺方向と平行にして配置されている。
収納ケース２５の平面視における長辺方向の長さは、収納室９の平面視における長辺方向の長さの１／３となっており、平面視における短辺方向の長さは、収納室９の平面視における短辺方向の長さの１／４となっている。換言すれば、収納ケース２５の平面視における長辺方向の長さは、前記開口部２１ａ，２１ｂの幅とほぼ等しいか若干小さくなっており、平面視における短辺方向の長さは、前記開口部２１ａ，２１ｂの幅の１／２か若干小さくなっている。
また、収納ケース２５の高さは、前記開口部２１ａ，２１ｂの高さとほぼ等しいか若干低くなっている。
【００２４】
したがって、開口部２１ｂは、二つの収納ケース２５，２５が並んだ状態で収納室９外に向けて長辺方向に移動可能な大きさになっている。また、本実施の形態では、収納ケース２５は短辺方向には移動可能に設けられていないが、該収納ケース２５を短辺方向にも移動可能に設ければ、開口部２１ａは一つの収納ケース２５が収納室９外に向けて短辺方向に移動可能な大きさになっている。
つまり、収納ケース２５の平面視における長辺方向の長さは短辺方向の長さの２倍であるので、収納ケース２５は、２つ並んだ状態で開口部２１ｂから外側に向けて長辺方向に移動可能となっており、収納ケース２５を短辺方向にも移動可能とすれば、該収納ケース２５は開口部２１ａから外側に向けて短辺方向に移動可能となっている。
【００２５】
また、前記収納室９には、収納ケース２５と平面形状がほぼ等しいか若干大きい配置スペース２６が収納室９の平面視における長辺方向および短辺方向に隙間無く複数（１２個）配置されている。すなわち、収納室９には配置スペース２６が収納室９の平面視における長辺方向に３つ、短辺方向に４つ、合計１２個配置されている。配置スペース２６は収納室９の床面から天上面まで延在し、断面が前記収納ケース２５とほぼ等しいか若干大きい直方体状の仮想空間であり、一つの配置スペース２６には一つの収納ケース２５が他の配置スペース２６にはみ出すことなく、配置可能となっている。
【００２６】
図４に示す状態において、１２個の配置スペース２６・・・のうち、前記開口部２１ａ，２１ａに面する２個の配置スペース２６，２６には、収納ケース２５が配置されておらず、空の配置スペース２６，２６となっており、他の残りの１０個の配置スペース２６・・・には全て収納ケース２５が配置されている。
また、平面視において、収納室９の短辺方向に四つの配置スペース２６・・・が配置されており、短辺方向中央二列の六つの配置スペース２６にはそれぞれ収納ケース２５が配置されている。
さらに、平面視において、収納室９の長辺方向に沿う壁２０ａ，２０ａに沿って配置された配置スペース２６・・・のうち、両端側の配置スペース２６，２６にそれぞれ収納ケース２５が配置されており、この収納ケース２５は、収納室９の長辺方向に沿う壁２０ａに形成された開口部２１ａに面する空の配置スペース２６に移動可能となっている。
【００２７】
前記収納ケース２５は、図５に示すように、平面視における長手方向（図５において左右方向）に沿う両側面が開口しており、この開口から物を出し入れするようになっている。収納ケース２５は、天板２５ａ、底板２５ｂ、前後２枚の側端板２５ｃ，２５ｃとを有し、底板２５ｂの下面四隅部にそれぞれキャスター２５ｄが取り付けられ、これらキャスター２５ｄによって図５において左右（図４において左右）に移動可能となっている。
また、収納ケース２５内には、上下２段の棚板２５ｅ，２５ｅが設けられており、収納ケース２５の開口側面には、棚板２５ｅ，２５ｅおよび底板２５ｂに載置された物が収納ケース２５から飛び出すのを防止する塞止め板２５ｆ・・・が取り付けられている。
さらに、収納ケース２５の前後の側端板２５ｃ，２５ｃには、それぞれ取手２５ｇが取り付けられており、この取手２５ｇを握って収納ケース２５を移動させるようになっている。
【００２８】
また、図４に示すように、収納室９を形成する壁２０ａには、開口部２１ａを開閉する開閉戸２７が蝶番２８によって回転可能に取り付けられている。また、開閉戸２７の表面には取手２７ａが取り付けられている。
開閉戸２７の裏面には、図６に示すように、上下２段の収納ポケット３０，３０が設けられている。この収納ポケット３０はその左右の幅が前記配置スペース２６の長辺方向の長さより短く、かつ開閉戸２７の裏面からの突出長さが配置スペース２６の短辺方向の長さより短くなっている。
したがって、開閉戸２７によって開口部２１ａが閉じられた場合、収納ポケット３０，３０は開口部２１ａに面する空の配置スペース２６に納まるようになっている。
【００２９】
上記のような収納構造を使用する場合、図４に示すように、収納室９の所定の配置スペース２６・・・に１０個の収納ケース２５・・・を配置しておく。つまり、開口部２１ａ，２１ａに面する配置スペース２６，２６以外の他の配置スペース２６・・・全てにそれぞれ収納ケース２５を配置しておく。
そして、開閉戸２７を開けることによって、この開閉戸２７に面する空の配置スペース２６に、住人が入ることができる。空の配置スペース２６には、収納室９の中央にある収納ケース２５が面しているので、この収納ケース２５の側面側から物を出し入れできる。
また、前記空の配置スペース２６の左右両側にある収納ケース２５，２５に物を出し入れする場合、この左右の収納ケース２５，２５のいずれかをそれぞれ空の配置スペース２６に移動させる。すると、この収納ケース２５が開口部２１ａに面するので、この収納ケース２５の側面側から物を出し入れできる。
さらに、前記開口部２１ｂに面している二つ収納ケース２５，２５は、開口部２１ｂから収納室９の外側に、少なくとも一部が外に出るように移動させる（引き出す）ことによって、収納ケース２５，２５の側面が収納室９の外側に出るので、この収納ケース２５の側面側から物を出し入れできる。
このように、収納室９に配置された全ての収納ケース２５に四つの開口部２１ａ，２１ａ，２１ｂ，２１ｂを使用して物を出し入れできる。
【００３０】
以上のように、本実施の形態によれば、建物の平面視略中央部に配置された平面視矩形状の収納室９の周囲に、この収納室９を取り囲むようにして玄関ホール３、廊下５、部屋（ダイニングキッチン）１０、廊下１７が配置されており、収納室９を形成する四つの壁２０ａ，２０ａ，２０ｂ，２０ｂにそれぞれ開口部２１ａ，２１ａ，２１ｂ，２１ｂが形成されているので、収納室９を形成する各壁に面する玄関ホール３、廊下５、部屋１０、廊下１７から物を出し入れできる。
したがって、平面視矩形状の収納室９の周囲に無駄なスペースを設けることなく、該収納室９に四方向から物を出し入れできる。
【００３１】
また、平面視において、収納室９の長辺方向に沿う壁２０ａに沿って配置された収納ケース２５を開口部２１ａに面する配置スペース２６に移動することによって、前記収納ケース２５に、前記開口部２１ａから物を出し入れできる。
また、平面視において、短辺方向中央二列の中央の配置ペース２６，２６に配置されている収納ケース２５，２５には、前記開口部２１ａ，２１ａに面する配置スペース２６，２６を空の配置スペース２６とすることによって、この空の配置スペース２６，２６から物を出し入れできる。
さらに、短辺方向中央二列の配置スペースのうちの外側に位置する配置スペースに配置された収納ケース２５は、収納室９の短辺方向に沿う壁２０ｂに形成された開口部２１ｂから少なくとも一部が外に出るように移動させることによって、該収納ケース２５に収納室９の外側で物を出し入れし、その後、収納室９内に戻すことができる。
したがって、収納室９に物を整理して効率よく収納できる。
【００３２】
また、開閉戸２７の裏面に設けられた収納ポケット３０に物を収納することによって、収納室９の空の配置スペース２６を収納スペースとして有効利用できる。
また、建物の平面視略中央部に、平面視矩形状の収納室９が配置されており、この収納室９を形成する四つの壁２０ａ，２０ａ，２０ｂ，２０ｂが構造壁で構成されているので、建物自体をバランスよく支えることができる。また、この構造壁によって２階の床を確実に支持できる。
【００３３】
なお、本実施の形態では、収納ケース２５の側面側から物を出し入れするようにしたが、収納ケース２５の側端板２５ｃに開口部を形成し、収納ケース２５に、その側端面側からも物を出し入れできるようにしてもよい。
【００３４】
また、本実施の形態では、収納ケース２５を平面視において収納室９の長辺方向に移動可能に設けたが、本発明では、例えば図７に示すように、収納ケース２５を、平面視において収納室９の長辺方向および短辺方向に移動可能に設けてもよい。
この場合、複数の配置スペース２６のうち、少なくとも一つの配置スペース２６を収納ケース２５が配置されていない空の配置スペース２６とすればよい。
【００３５】
このようにすれば、空の配置スペース２６に収納ケース２５を移動して、空の配置スペース２６を新たに生じさせ、さらにこの空の配置スペースに他の収納ケース２５を移動することを適宜繰り返して行くことによって、全ての収納ケース２５を四つの開口部２１ａ，２１ａ，２１ｂ，２１ｂに面して配置して、この収納ケース２５に物を出し入れでき、さらに、開口部２１ａ，２１ａ，２１ｂ，２１ｂから収納ケース２５をその少なくとも一部が外に出るように移動させることによって、該収納ケース２５に収納室９の外側で物を出し入れできる。したがって、収納室９に物を整理して効率よく収納できる。
なお、この例では空の配置スペース２６を一つ設けたが、二つ以上設けてもよいのは勿論である。
【符号の説明】
【００３６】
３  玄関ホール
５  廊下
９  収納室
１０  部屋
１７  廊下
２０ａ，２０ｂ  壁
２１ａ，２１ｂ  開口部
２５  収納ケース
２６  配置スペース
２７  開閉戸
３０  収納ポケット
【図１】
2010189945.tif 000003
【図２】
2010189945.tif 000004
【図３】
2010189945.tif 000005
【図４】
2010189945.tif 000006
【図５】
2010189945.tif 000007
【図６】
2010189945.tif 000008
【図７】
2010189945.tif 000009